(57)【要約】  ロータリーカップリングを備える超音波歯科用ハンドピースシステムであって、歯科用ハンドピース及び歯科用ハンドピースチップを備え、システムは、歯科用ハンドピース及び歯科用ハンドピースチップのためのスイベル機構及び動的流体インターフェースを組み込み、歯科用ハンドピースケーブルに対し自由に回転し、それにより、ハンドピースケーブルと、内部の配管及びワイヤとによりハンドピースに加えられるねじりの荷重からハンドピースを切り離す、超音波歯科用ハンドピースシステム。ロータリーカップリングを備える超音波歯科用ハンドピースは、概して、ピエゾアセンブリ及び２次コイルが収容されるハンドピースと、１次コイル及びハンドピースケーブルを含むケーブルアセンブリとを含み、ハンドピースケーブルは、電気エネルギー及び冷却洗浄液の供給を提供する。１次コイル及び２次コイルは、２次コイルがピエゾアセンブリと電気的に通信して、２次コイルが１次コイルに誘導結合される変圧器を形成する。ハンドピースを使用する方法も、開示される。【選択図】図１
2019531820.tif 000002
【特許請求の範囲】
【請求項１】
ハンドピースチップと、
トランスデューサーアセンブリ及び２次コイルを囲うハンドピースハウジングと、
ケーブル及び１次コイルを備え、前記ハンドピースハウジングに接続されるケーブルアセンブリと、
動的流体インターフェースと、
スイベル機構と、
を備え、
前記ハンドピース及び前記ハンドピースチップが、前記ハンドピースの内部でエネルギー及び洗浄液を無制限に伝達しつつ、前記動的流体インターフェース及び前記スイベル機構は、前記ケーブルアセンブリ又は使用者の手に対し自由に回転するよう構成され、
前記ハンドピースは、前記ケーブルアセンブリと、内部の配管及びワイヤとにより前記ハンドピースに加えられるねじり荷重から切り離される、歯科用ハンドピース。
【請求項２】
前記トランスデューサーアセンブリは、ピエゾアセンブリである、請求項１に記載の歯科用ハンドピース。
【請求項３】
前記ケーブルアセンブリは、前記ハンドピースに洗浄液及び電気エネルギーを提供するよう構成される、請求項１に記載の歯科用ハンドピース。
【請求項４】
前記１次コイル及び２次コイルは、回転変圧器を形成し、
前記２次コイルが前記トランスデューサーアセンブリと電気的に通信して、前記２次コイルは、前記１次コイルに誘導結合される、請求項１に記載の歯科用ハンドピース。
【請求項５】
磁束を集中させ、前記２次コイルとの前記１次コイルのカップリングを高めるためのフェライトコアをさらに備える、請求項４に記載の歯科用ハンドピース。
【請求項６】
巻数の量は１：１である、請求項４に記載の歯科用ハンドピース。
【請求項７】
前記ケーブルアセンブリは、前記ハンドピースハウジングから取り外し可能である、請求項１に記載の歯科用ハンドピース。
【請求項８】
前記ハンドピースは、オートクレーブ可能に構成される、請求項１に記載の歯科用ハンドピース。
【請求項９】
動的流体インターフェース及び前記１次コイルの１次ボビンをさらに備え、
前記動的流体インターフェースと前記１次ボビンとの間の締りばめの力から発生する摩擦トルクが、荷重を７．０６ｍＮ．ｍ（１ｉｎ−ｏｚ）未満に保つことにより減少する、請求項１に記載の歯科用ハンドピース。
【請求項１０】
前記荷重は、３．５３ｍＮ．ｍ（１／２ｉｎ−ｏｚ）未満である、請求項９に記載の歯科用ハンドピース。
【請求項１１】
歯科用ハンドピースを動作させる方法であって、
ケーブルアセンブリの１次コイルに電気エネルギーを提供することと、
ハンドピースハウジングにある２次コイルに前記電気エネルギーを結合することと、
前記２次コイルからの電気エネルギーをトランスデューサーアセンブリに提供し、前記ハンドピースのチップの作業端で振動を生じさせることと、
前記トランスデューサーアセンブリ、前記２次コイル、及び前記ハンドピースハウジングが１つのアセンブリとして回転するよう前記ケーブルアセンブリに対し、前記ハンドピースを回転させることと、
を含み、
前記ケーブルアセンブリの動的流体インターフェース及び前記１次コイルは、前記ハンドピースハウジングの内部で、ほとんど摩擦抵抗なく摺動し、前記ケーブルアセンブリと、前記ハンドピースの内部のシール及びベアリングとから前記チップを切り離す、方法。
【請求項１２】
前記トランスデューサーアセンブリは、ピエゾアセンブリである、請求項１２に記載の方法。
【発明の詳細な説明】
【技術分野】
【０００１】
本発明は、概して、歯科用ハンドピース、より具体的には、ハンドピースアセンブリにエネルギー及び冷却洗浄液を提供するためのロータリーカップリング及び流体伝達機構を備える超音波歯科用ハンドピースアセンブリに関する。
【背景技術】
【０００２】
主として、超音波歯科用ツールは、電源、アース、及びフィードバック回路全てを接続するケーブルに接続されるハンドピースを含む。ケーブルは、洗浄液（例えば、水、クロルヘキシジン、マウスウォッシュ）を提供する可撓管を含んでもよい。
【０００３】
現在、臨床医は、超音波洗浄処置の間、歯面に対し適切なスケーラーチップの向きを保つために、超音波スケーラーをしっかり握り続けなければならない。これは、ピエゾチップがねじ式接続を用いてハンドピースに取り付けられるという事実に起因し、結果として、ケーブルアセンブリに対するチップの向きは、トランスデューサーのホーン及びハンドピースハウジングに強固に固定される。チップの向きは、ねじのタイミングに依存するが、ケーブルが垂れる方向とは無関係である。ハンドピース及びチップアセンブリの厳格な性質は、ハンドピースケーブルと、内部の配管及び配線とから把持域に伝達されているねじれ抵抗に対応せずに、ハンドピースのチップの向きを歯面に正しく合わせるためのハンドピースの回転を妨げる。
【０００４】
この課題は、内筒と、コイルユニットと、外装シースとを備える磁歪ハンドピースであって、回転可能なノズルが、把持域へのねじり荷重の加え方に応じて選択的に回転可能である磁歪ハンドピースを開示する米国特許出願第１４／７１６，０７５号に認識されている。この特許は、背景技術の説明のために参照によって本明細書に引用したものとする。米国特許第９，０５０，１６１号は、ピエゾ式チップとの互換性を持たせることにより、磁歪発電機の機能を拡張する。
【０００５】
しかしながら、圧電技術を用いて解決すべき課題は、依然として残っている。先行技術と比べて１つ又は複数の改善を示す、歯科用ハンドピース、歯科用ハンドピースを含む歯科システム、及び当該歯科用ハンドピースを使用する方法が、当技術分野において求められる。
【発明の概要】
【発明が解決しようとする課題】
【０００６】
システムは、歯科用ハンドピースと、歯科用ハンドピースチップと、ケーブルアセンブリとを備え、ハンドピースは、動的流体インターフェース及びスイベル機構を組み込み、ハンドピースケーブルと、内部の配管及びワイヤとによりハンドピースに加えられるねじりの荷重からハンドピースを切り離すことで、ハンドピースの内部でエネルギー及び洗浄液を無制限に伝達しつつ、ハンドピース及びハンドピースチップがハンドピースケーブル又は使用者の手に対して自由に回転することを可能にする。ハンドピースは、ピエゾスタック及び２次コイルを収容し、ケーブルアセンブリは、ケーブル（ケーブルシース、配管、及びワイヤ）と、１次コイルとを備え、ケーブルは、ハンドピースへの電気エネルギー及び冷却洗浄液の供給を提供する。１次コイル及び２次コイルは、２次コイルを１次コイルに誘導結合させ、２次コイルがピエゾスタックと電気的に通信して、変圧器を形成する。整流電気接点を正確に位置合わせする必要がないことにより、ベアリング又は他の精密部品を必要とすることなく、ハンドピース回転機構は、低摩擦材料から作られ得る。１次コイルの下のフェライトコアは、磁束を集中させ、２次コイルとのカップリングを高め、効率的な電力送達を可能にする。動的流体インターフェース及びスイベル機構は、ハンドピース及びハンドピースチップがハンドピースケーブルに対し自由に回転することを可能にする。
【０００７】
上記では、発明を実施するための形態をより理解することができるように、また本発明の当該技術分野への貢献をより評価することができるように、本発明の特徴のいくつかをかなり大まかに概説した。本発明のさらなる特徴について後述する。
【０００８】
この点に関して、本発明の少なくとも１つの実施形態を詳細に説明する前に、本発明は、その適用について、以下の説明で述べる又は図面に例示される構造の細部又は部品の配置に限定されないことを理解されたい。本発明は、他の実施形態をとることができ、様々な手法で、実施及び実行することができる。さらに、本明細書に使用されている表現及び用語は、説明目的で使用されており、限定的な意味として捉えるべきではないことを理解されたい。
【課題を解決するための手段】
【０００９】
１つの目的は、ロータリーカップリングを備える超音波歯科用ハンドピースシステムであって、システムは、歯科用ハンドピースと、歯科用ハンドピースチップとを備え、システムは、スイベル機構及び回転流体カップリングを組み込み、ハンドピース及びチップが、ハンドピースケーブルに対し、好ましくは３６０度回転することを可能にし、これにより、ケーブルと、内部の流体配管及び電気ワイヤとにより、ハンドピースに加えられるねじりの荷重からハンドピースを切り離す超音波歯科用ハンドピースシステムを提供することである。
【００１０】
別の目的は、一般的な歯肉縁上及び歯肉縁下スケーリングの用途、歯内療法、及び全ての種類の歯周病に対する歯周デブライドメントに使用できる、ロータリーカップリングを備える超音波歯科用ハンドピースを提供することである。
【００１１】
別の目的は、１次コイルと２次コイルとの間の電磁結合を介して、超音波出力を送達するため、従来の電気接続を、以下では回転変圧器と称する変圧器の使用に替える、ロータリーカップリングを備える超音波歯科用ハンドピースを提供することである。２つの同心シェルが互いに入れ子となり、ピエゾハンドピースを駆動させるために使用される電磁結合を生じつつ、コイルを流体の流入及び汚染から保護する。また、滅菌及び交換のため容易に取り外せるハンドピースを作るための手段を提供し、流体の流入への非感受性に加え、オートクレーブサイクル時に通気する性能を与えるため、ラッチ機構を採用することが、１つの目的である。コイルオーバーコイルデザインは、整流電気接点及び気密ラジアルシールの必要性を排除し、流体及び蒸気への低摩擦摺動カップリングバリアーを提供する。
【００１２】
本発明の他の目的及び利点は、読者にとって明らかになるであろう。これらの目的及び利点は、本発明の範囲内にあるものとする。上記目的及び関連する目的の達成のため、本発明は、添付図面に例示される形態で具現化することができるが、図面は単なる例に過ぎず、本願の範囲内で例示及び記載される特定の構造において変更がなされてもよいという事実に留意されたい。
【００１３】
本発明の様々な他の目的、特徴、及び付随する利点は、添付図面と併せて考察するとより理解されるようになると、十分に認められるであろう。添付図面において、各図形の全体にわたり、同じ参照符号は、同一又は同様の部分を指す。
【図面の簡単な説明】
【００１４】
【図１】本開示の好ましい実施形態を例示する斜視図である。
【図２】回転を行うスムーズテフロン（登録商標）ベアリングをハイライト表示する回転式インターフェース（ケーブルアセンブリ／ハンドピース接続）の断面図である。
【図３】本開示に係る、動的流体インターフェースをハイライト表示するケーブルアセンブリ及びハンドピース接続の断面図である。
【図４】トランスデューサーを備えるピエゾ超音波スケーリングハンドピースの汎用部品を例示する図である。
【図５】配置済みのトランスデューサー及び２次コイルを備えるハンドピースを例示する分解図である。
【図６】本発明の代替実施形態を例示する斜視図である。ケーブルアッセンブリは、ハンドピースへケーブルアセンブリを付けることを可能にするクリップ機構を具備する。
【図７】図６の実施形態のケーブルアセンブリを示す分解側面図である。
【図８】ハンドピースの近位端との接続のためのクリップ機構を有するケーブルアセンブリを示す、図６の代替実施形態の断面図である。
【図９】１次コイル及び２次コイルに対するピエゾアセンブリの設置位置を例示する、図６の代替実施形態の断面図である。
【図１０】本開示の一実施形態に係るスムーズエンドケーブルアセンブリを例示する側面図である。
【図１１】本開示の一実施形態に係るリップケーブルアセンブリを例示する側面図である。
【図１２】本開示に係る代替実施形態を示す断面図である。
【図１３】動的流体インターフェースの代替実施形態を示す図である。
【発明を実施するための形態】
【００１５】
図面について説明すると、各図形の全体にわたり、同様の参照番号は同様の要素を示し、図は、ピエゾアセンブリ及び２次コイルが機械的に取り付けられ、収容されるハンドピース、及び１次コイルと、電気エネルギー及び冷却洗浄液の供給を提供するハンドピースケーブルとを備えるケーブルアセンブリを例示する。１次コイル及び２次コイルは、２次コイルがピエゾアセンブリと電気的に通信し、２次コイルが１次コイルに誘導結合される変圧器を形成する。１次巻線の下のフェライトコアは、磁束を集中させ、２次巻線とのカップリングを高め、効率的な電力送達を可能にする。各コイルは、使用者と高圧電気接続との間の電気絶縁性を低下させる流体の流れ込みの恐れを排除するため、各々のシェルで封止される。一実施形態では、デジタル制御ドライブエレクトロニクスによる多数の動作周波数にわたる圧電トランスデューサーを特徴とすることができる電気回路が使用される。駆動回路は、駆動電圧及び電流を同時にモニタリングしつつ、励起周波数の範囲をデジタルに合成することができる。駆動電圧及び電流は、アナログ−デジタルコンバーターを介してデジタル化され、位相関係、インピーダンス、アドミタンス、及び電流引き込みなどの情報をマイクロコントローラーへ提供する。励起周波数と結び付けられるこの情報は、トランスデューサー及び付属ツールの共鳴周波数又はその近似値であろうトランスデューサーの最適な動作周波数を決定するために分析される。駆動電圧及び電流は、ユーザー設定に基づき、パルス幅変調技術を使用して、動的に制御される。駆動電圧及び電流は、ハンドピースで熱を発生させる可聴ノイズ及びトランス損失となる望ましくない高調波及び潜在的に望ましくない電磁放射を最小限とするため、正弦波を近似することが好ましい。
【００１６】
図１を見ると、ピエゾスケーラーハンドピース１４は、ケーブルアセンブリ１６から外される。ケーブルアセンブリは、ハンドピースケーブル１５を通して洗浄液及び電気エネルギーを供給される。リアキャップ２１の一端から突出し、Ｏリング２０を供給される１次コイルカップリング４０は、スケーラーハンドピース本体１４が、ケーブル１５に対し自由に回転することを可能にする。スケーラーチップ（不図示）もまた、図４に示されるようなハンドピースハウジングチップ１のデザインでは、Ｏリング２の採用によって、ハンドピース本体に対し自由に回転することができることが好ましい。カップリング配置は、機械作業端（不図示）に結合する圧電パイル８への電力の供与を可能にする。カップリングはまた、ハンドピース１４の本体を通した圧電パイル８の機械作業端（不図示）への洗浄液の供与を可能にする。ハンドピース１４を１次コイルカップリング４０から外すことができることで、ハンドピース１４の部品の機械的及び電気的一体化を可能にし、その結果、容易に洗浄することができ、流体の流入に影響されず、内部部品を損傷することなく、オートクレーブによる高い温度及び圧力に耐えることができる。そのことはまた、従来の歯科用ハンドピースと同等の大きさのハンドピースを作り出すことを可能にする。ケーブルアセンブリ１６の１次コイルカップリング４０は、摩擦接合カップリングである。テフロン（登録商標）ベアリング１９は、図２において、ハンドピースの内側後端に存在する。Ｏリング２０は、テフロン（登録商標）ベアリングの内径とかみ合い、ケーブルアセンブリにハンドピースを固着する。ケーブルアセンブリの端から突出する１次コイルは、ハンドピースに設置される２次コイルのコア内に送られる。巻数比は、通常、１：１であろう。ハンドピースが突出する１次コイルに完全に据えられ、ハンドピースにラッチ掛けされると、低摩擦流体カップリングは、ハンドピースとケーブルアセンブリとの間に接合される。
【００１７】
回転式インターフェース（ケーブルアセンブリ／ハンドピース接続）を例示する断面図である図２を参照すると、テフロン（登録商標）ベアリング１９は、ハンドピースの近位端に存在する。ケーブルアセンブリのＯリング２０は、テフロン（登録商標）ベアリング１９の内径とかみ合い、ケーブルアセンブリにハンドピースを固着する。ハンドピースケーブル１５の流体路は、１次ワッシャー３４を通り、１次ボビン３１の流体路に接続される。洗浄液は、流体路を通り、ピエゾアセンブリ２３に向かい、超音波スケーリングチップを冷却する。洗浄液の供給に加えて、ケーブル１５はまた、好ましくは絶縁ワイヤ（不図示）の中を通り電気エネルギーを供給する。
【００１８】
図３及び図８を参照すると、動的流体インターフェース１７と、１次コイル２７の１次ボビン３１との間の締りばめは、臨床医がハンドピースを回転させると、摩擦トルクとなり、エネルギーを消費する力を発生する。インターフェースを正しく機能させることは、１次ボビン３１と、動的流体インターフェース１７の内径との間の封止力を保つことにかかっている。シール漏れを防ぎ、正しいスケーラーチップの向きを実現し、歯科解剖学への適応を実現する最大制御を提供する円滑で自由に回転可能なハンドピースを保証するため、締りばめの力から発生する摩擦トルクを減少させようとするときには、通例では７．０６ｍＮ．ｍ（１ｉｎ−ｏｚ）未満、好ましくは３．５３ｍＮ．ｍ（１／２ｉｎ−ｏｚ）の適切な荷重を保つ。この最小トルクは、臨床医が片手で挿入物を回転させることを可能にし、チップの配置換えで両手を使用するため、口腔から退く必要性を排除する。トルクの量は、ハンドピースをケーブルに対し回転させると、トルクウォッチから直接読み取ることができる。Ｏリング４９が、超音波ハンドピースの上部圧力を封止することができているかは、Ｏリングのピーク接触応力により直接推測することができる。１次ボビン３１へのラジアル荷重は、ベアリングと、スケーリング中に使用されるフェザータッチと、Ｏリングシールがハンドピース内深くに設置されるという事実とによりＯリング４９で微小になるであろう。ラジアル方向に加わる荷重の１次壁面接触応力応答は、Ｏリングの変形の結果、最大となる。以下の式は、シールの摩擦係数（μ）、シャフト半径（Ｒｓ）、及び軸方向に加わる荷重（ＲＬ）とした場合の軸方向トルクの計算である。なお、トルクは、シャフト半径に正比例する。
トルク＝μＲｓＲＬ
【００１９】
Ｏリングの剛性、材料、及びシャフト仕上げは、静止摩擦係数と動摩擦係数の両方に影響する。１次ボビンのシャフト表面仕上げは、ガラス様とし、パーティングラインのバリは全て排除するよう注意を払う。Ｏリングの剛性及び変形率は、ラジアル荷重を直接制御する。テフロン（登録商標）、テフロン（登録商標）コートされたフルオロカーボン、及び高温用シリコーンなどの高温用Ｏリング材料を使用し、繰り返されるオートクレーブサイクル後の水分の流入による膨張又はＯリングからの可塑剤の減少による硬化を妨げることが好ましい。図１３は、動的流体インターフェースの代替実施形態を示す。これは、低摩擦材料、滑らかな仕上げ、及び小さな半径を特徴とし、半分に分けた際の損傷に対するインターフェースの強靭性を与える。ボビン４４は、ケーブルと共に動き、給水継手４５は、ハンドピースと共に動く。４６は、洗浄液の流れの方向を示す。
【００２０】
図４は、トランスデューサーを備えるピエゾ超音波スケーリングハンドピースの汎用部品を例示する。ハンドピースは、ハウジングチップ１と、ハウジング３とを備える。ハウジング３は、ハウジングチップＯリング２を使用することによりハウジングチップ１に接続される。コネクタＯリング４は、コネクタ５にハウジングを接続し、電力をトランスデューサーに供給する。トランスデューサーは、ハンドピースに収容され、超音波ホーン６と、圧電素子８と、電圧をピエゾ素子の表面に送達するはんだタブ７と、Ｏリング１０を備え、取り付けられるとランジュバン又はサンドウィッチトランスデューサーを形成するテイルマス（又はバックマス（Ｔａｉｌ  Ｍａｓｓ、ｂａｃｋ  ｍａｓｓ））９とを備える。金属製タケノコ流体継手１１は、超音波スケーリングチップを冷却するためにトランスデューサーの中央に冷却洗浄液を送るための接続を提供する。
【００２１】
図５は、配置済みのトランスデューサー２３及び２次コイル２４を備えるハンドピースの分解図を例示する。外装作業用ケース２２は、ねじにより互いに締められる２つのシェルからなる。洗浄の容易さ及び美観を改善するため、１つのシェル又は代替結合技術を実践してもよい。
【００２２】
図６、図７、図８、及び図９は、本発明の代替実施形態を例示する。ケーブルアセンブリ１６は、クリップ機構を具備し、ケーブルアセンブリをハンドピースに付けることを可能にする。
【００２３】
図７では、本実施形態のケーブルアセンブリの分解側面図が示される。図は、１次コイル構造を有するケーブルアセンブリのクリップを解放した状態を示す。１次コイル２７は、１次ボビン３１に巻かれ、流体の流入及び損傷からコイルを保護する保護外装ケース２６で覆われる。クリップケース２９に収容され、ハンドピースケーブル１５が通り抜けるクリップ機構２８は、図８に示すように、１次ワッシャー３４を介し１次ボビン３１に接続される。フェライトコア３２は、磁束を集中させ、カップリングを高め、効率的な電力送達を可能にする。
【００２４】
図９を参照すると、図６の代替実施形態の断面図が、１次コイル２７及び２次コイル２４に対するピエゾアセンブリ２３の設置位置を例示する。ピエゾスケーリングチップの機械作業端（不図示）は、ピエゾアセンブリ２３の遠位端１８から延在する。
【００２５】
図１２に示されるように、本発明の代替実施形態は、ピエゾ３６と共に回転する部品を備え、これら部品は、ケーブルに機械的又は電気的に接続される。回転変圧器は、ハンドピース内に収容される。トランスデューサー２３は、ハンドピースの遠位４１の端にある突出部４３に固定され、突出部４３、トランスデューサー２３、内部ハウジング４７、及び１次コイル２７は、可動部品３６であり、ハンドピースの据え付け部品３５である２次コイル２４及び外部ハウジング４８に対し回転できる。これにより、ハンドピースチップ（不図示）は、突出部４３を回転させ、近位端４２に設置される流体シール３７及びその他回転部品３６を据え付け部品３５に対し回転させつつ、歯（不図示）に向きを合わせることが可能である。
【００２６】
図４、図５、及び図８に示されるように、好ましい実施形態におけるハンドピースの動作は、圧電素子８に、素子を曲げるエネルギーを提供することを伴う。この動きの結果、ピエゾスケーリングチップの機械作業端（不図示）では振動が生じ、その後、振動は歯に加えられる。チップの機械的働きにより作り出される高い振動エネルギーは、歯石を砕き、除去する。作り出される衝撃波及び乱流は、細菌細胞及びバイオフィルムを破壊する。ピエゾトランスデューサーアセンブリ２３は、ワイヤ１２及び１３により２次巻線２４に電気的に接続される。水管（不図示）は、１次ボビン３１から送達される流体を、動的流体インターフェース１７を通し、２次ボビン３３の端にある給水継手３０に連絡する。その後、水管は、テイルマス９に設置されるトランスデューサーアセンブリ２３の近位端にあるタケノコ継手１１と接続する。２次コイル２４は、１次コイル２７と連携して働き、超音波出力を結合する。１次コイル２７は、圧電トランスデューサーを通電させるために使用される２次コイルにおける電圧及び電流を誘導する。２次コイル２４及びトランスデューサーは、２次コイルとトランスデューサーの間にあるワイヤ及び配管のみが周囲超音波振動を受けるよう同一ハウジングに機械的に固定される。ハンドピースがケーブルアセンブリに対し回転すると、トランスデューサー２３、２次コイル２４、及びハンドピース１４は、１つのアセンブリとして回転する。１次コイル及び動的流体インターフェース１７は、極めて少ない摩擦抵抗でハンドピース内を摺動することになっており、その結果、操作者は、ハンドピースケーブル１５又は内部のシール及びベアリングによるねじれ抵抗なく、超音波チップを扱うことができる。動的流体インターフェース１７は、ロータリーカップリング手段の使用により、シール漏れのない、２次コイルに対する１次コイルの回転を可能にする。ロータリーカップリングは、低摩擦材料、滑らかな仕上げ、及び小さな半径を特徴とし、締りばめの力から発生する摩擦トルクを減少させる。
【００２７】
他の実施形態において、２次コイル２４は、高速回転機、低速回転機、硬化用照明、及び齲蝕検知器などであるが、それらに限定されない電気機器へ電力供給を提供してもよい。ＤＣ電力を提供して２次回路を通電させるため、超音波駆動信号を整流する回路を実現してもよい。また、圧電スケーリングハンドピースでは一般的な一体型ＬＥＤ照明を通電させる低電圧電源を提供するため、２次コイルと共に、３次コイルを含んでもよい。
【００２８】
本明細書に記載及び例示されているものは、その変形形態のうちいくつかを加えた本発明の好ましい実施形態である。本明細書において使用される用語、説明、及び図は、単なる例として示されており、限定を意味するものではない。当業者であれば、本発明の精神及び範囲内で多くの変形形態が考えられることを理解するであろう。本発明において、全ての用語は、別段の指示がない限り、最も広い妥当な意味である。説明で使用される見出しはいずれも、単に便宜的に使用されており、法律的効果又は限定的効果を持つものではない。
【図１】
2019531820.tif 000003
【図２】
2019531820.tif 000004
【図３】
2019531820.tif 000005
【図４】
2019531820.tif 000006
【図５】
2019531820.tif 000007
【図６】
2019531820.tif 000008
【図７】
2019531820.tif 000009
【図８】
2019531820.tif 000010
【図９】
2019531820.tif 000011
【図１０】
2019531820.tif 000012
【図１１】
2019531820.tif 000013
【図１２】
2019531820.tif 000014
【図１３】
2019531820.tif 000015
【国際調査報告】
2019531820.tif 000016
2019531820.tif 000017
2019531820.tif 000018
2019531820.tif 000019
2019531820.tif 000020